(57)【要約】【課題】アコースティック・ギターに代表される箱形弦楽器に、特別な加工をすることなく外観を変えずに、マイクケーブル７を楽器本体内部に引き込み又は内部から引き出し、エンドピンホール１６内に簡便に固定できる補助器具を提供する。【解決手段】エンドピン１７を軸方向に２分割して、双方の分割面中央の軸方向に対称となる位置に溝を設け、分割したエンドピンを合体させれば中空加工された物と同等のエンドピン１７が実現でき、マイクケーブル７の前後にケーブルの径よりも大きな径のマイク本体６やプラグ８が有っても分割エンドピンにマイクケーブル７を挟み込む事により、エンドピン１７に外見上ケーブルが貫通すると同等の機能を持たせる事ができ、楽器本体内部にエンドピンホール１６を通じて引出し又は引き込もうとするマイクケーブル７を、分割エンドピンと一体となってエンドピンホール１６に固定する事が可能となる。【選択図】図２
2020160143.tif 000002
【特許請求の範囲】
【請求項１】
アコースティック・ギターに代表される、空洞を持った箱形弦楽器の吊り器具として使用されているエンドピンを、軸方向に正２分割して、双方の分割面中央の軸方向に対称となる位置に溝を設け、双方を合体させれば中空構造を持ったエンドピンとなる事を特徴とする分割エンドピン。
【請求項２】
二つに分けたエンドピンの一方の分割面に複数の凹み部を設け分割エンドピンメスとし、もう一方の対称面に同数の突起部を設け分割エンドピンオスとし、一対になって合体させる際に分割面がずれるのを防ぐと共に、ギターを吊り下げる保持器具としての強度も一定度保てる事を特徴とする請求項１に記載の分割エンドピン。
【発明の詳細な説明】
【技術分野】
【０００１】
本発明はアコースティック・ギターを演奏時に吊り下げる為の保持器具に関する。
【背景技術】
【０００２】
アコースティック・ギターに具わっているエンドピンは、ギターを吊り下げて演奏する為の保持器具であるが、マイクシステムを組み込んだエレクトリック・アコースティック・ギターには、エンドピンに代わりマイクからの電気信号をギター外部に送り出すために、特許文献１の記述に相当する、標準サイズのオーディオ端子を具えたエンドピンジャックが装備されている。
以下エレクトリック・アコースティック・ギターをエレアコとする。
【０００３】
マイクシステムが無いアコースティック・ギターをエレアコ化したい場合は、エレアコ用専用マイクシステムを採用する以外に、小径コンデンサーマイクの採用も選択できる。エレアコ専用マイクが多数開発される一方、音声会話用であるオーディオ用小径コンデンサーマイクは、軽量で小型のため場所を選ばず設置でき、楽器用にも転用されている。安価な製品の多くは出力用にミニ端子が具わり、ケーブルをギターのボディに這わせてテープ止めすれば、必ずしもエンドピンジャックは必要としないが、簡便で安全なケーブルの装着方法が必要と思われる。
【先行技術文献】
【特許文献】
【０００４】
【特許文献１】実用新案出願公開  昭和56年-159394
【特許文献２】実用新案登録第3176690号(U3176690)
【特許文献３】US20060278059A1
【非特許文献】
【０００５】
【非特許文献１】http://tapastring.com/vintagejack.htm
【非特許文献２】https://item.rakuten.co.jp/craftn/cn-10002/
【発明の概要】
【発明が解決しようとする課題】
【０００６】
マイクケーブル７をギターの表板１２や側板１３にテープ止めした場合、テープの粘着剤はギターの塗装面に悪影響を与える場合がある。また演奏者の動作によってテープが剥落しケーブルの脱落の可能性もあるため、エンドピンジャックの採用には有為がある。しかし従来のエンドピン１７を装着しているギターのエンドピンホール１６は、差込口１４で直径約８ミリの穴が開いているが、エンドピンジャックの外径は１２ミリで、差込口１４からエンドブロック１５を貫通するまで穴径をエンドピンジャックの大きさに拡張しなければならず、エレアコ化を検討しているアコースティック・ギターの所有者には、費用負担と施工への不安や外観の変更への抵抗感がある。また、従来のエンドピン１７にミニ端子を埋め込み成形加工した、ギターに未加工で装着できるエンドピンジャックも市販されているが、吊り下げによる負荷について、ミニ端子の耐久性や剛性への不安もある。
【課題を解決するための手段】
【０００７】
この改善策として、エンドピン１７にオーディオジャックの機能を付け加えるなどの複雑な機構は用いず、エンドブロック１５内に具わるエンドピンホール１６からギターの胴内部にマイクケーブル７を通して固定できる、単純な機構で成形が簡単な分割エンドピンを考案した。
【０００８】
エンドピン１７の軸方向に、マイクケーブル７の径と同じサイズの穴を通して開ける中空加工が可能であるが、マイクケーブル７の前後にケーブルの径よりも大きなマイク本体６およびミニ端子（プラグ）８又はミニ端子（ジャック）９が一式として接続されており、中空加工を施したエンドピンにマイク一式を貫通させることはできないため、エンドピン１７を軸方向に正２分割して、双方の分割面中央の軸方向に溝を対称となる位置に設け、再び合体させれば中空加工を施したエンドピンと同等の機能を持たせる事が可能となり、マイクケーブル７を分割したエンドピンの間に挟み込み、一体にしてエンドピンホール１６内に固定できる。  
【発明の効果】
【０００９】
本発明では、マイクシステムがないアコースティック・ギターをエレアコ化する際に必要なエンドピンジャックは不要で、ギターの外観を変更することとなる胴部１０への加工は無く、ケーブルの取り回しを行なうだけで済み、マイクシステムの必要が無くなれば従来のエンドピン１７に戻す事ができる。また部品は合成樹脂や金属又は木材で成形加工が可能な２つのみで、安価に作成できる利点がある。
【図面の簡単な説明】
【００１０】
【図１】分割エンドピンのギターへの実施方法を説明した図である。
【図２】分割エンドピンとマイク一式の各部位を説明した図である。
【図３】分割エンドピンとマイクケーブルを合体する実施方法を説明した図である。
【図４】分割エンドピンの三面図である。
【図５】従来例を示したエンドピンの断面図である。
【図６】エンドピンの従来例を示したギターの概略斜視図である。
【発明を実施するための形態】
【００１１】
図１及び図２は本発明に係る実施例を示す。第１図において分割エンドピンオスと分割エンドピンメスでマイクケーブル７を挟みこみ、一体となって差込口１４からエンドピンホール１６に差し込まれエンドブロック１５内に固定される。
【００１２】
第２図において分割エンドピンとマイクケーブル７が合体する実施例を示す。マイクケーブル７をケーブル通し溝５に置いて、分割エンドピンメス１の凹み部３と分割エンドピンオス２の突起部４を合わせて合体させれば、マイクケーブル７と分割エンドピンメス１および分割エンドピンオス２が一体になり外見上マイク一式がエンドピン１７を貫いたようになる。
【実施例】
【００１３】
図５で示したエレアコ化されていないアコースティック・ギターに取付けられたエンドピン１７は、主に合成樹脂や木材で製造されており、図６で実施されているエンドピン１７を引き抜けば、多くの場合空洞であるエンドピンホール１６が現れる。このエンドピン１７に代え、分割エンドピンを用いてマイクケーブル７を挟み、マイク一式と一体になってエンドピンホール１６に差し込む様態を示したのが図１である。
【産業上の利用可能性】
【００１４】
本発明は内部に空洞を持つ楽器に利用できる。
【符号の説明】
【００１５】
１  分割エンドピンメス
２  分割エンドピンオス
３  凹み部
４  突起部 
５  ケーブル通し用溝
６  マイク本体
７  マイクケーブル
８  ミニ端子（プラグ）
９  ミニ端子（ジャック）
１０  胴部
１１  サウンドホール
１２  表板
１３  側板
１４  差込口 
１５  エンドブロック
１６  エンドピンホール
１７  エンドピン
１８  装飾部
【図１】
2020160143.tif 000003
【図２】
2020160143.tif 000004
【図３】
2020160143.tif 000005
【図４】
2020160143.tif 000006
【図５】
2020160143.tif 000007
【図６】
2020160143.tif 000008